(57)【特許請求の範囲】
【請求項１】
入賞口から入賞したセーフ球の案内通路が形成されたセーフ球集合樋を機裏側に備えた弾球遊技機において、
前記案内通路における下流側通路の近傍に当該下流側通路に沿って案内されるセーフ球と一定条件下において干渉する干渉部材を変位可能に支持し、少なくとも当該干渉部材に対して前記下流側通路に滞留した滞留セーフ球が球詰まり状態を形成して押圧接触する条件下では、当該干渉部材の一部が前記案内通路における上流側通路上を通過するセーフ球と干渉する干渉位置に配置されるようにし、前記干渉部材の一部と干渉した干渉セーフ球からの受圧力を前記下流側通路内で球詰まり状態を形成している前記滞留セーフ球に対して伝播可能な構成とした弾球遊技機。
【請求項２】
前記干渉部材は、前記干渉位置において干渉セーフ球からの受圧力に基づき下流側通路方向へ変位する請求項１に記載の弾球遊技機。
【請求項３】
前記干渉部材は、前記干渉位置において上流側通路のセーフ球案内面と面一状態になる干渉面を有しており、当該干渉面上を転動して通過する前記干渉セーフ球の自重により押圧されることで下流側通路方向へ変位する請求項１又は請求項２に記載の弾球遊技機。
【請求項４】
前記干渉部材は、その変位方向を規定する案内長孔又は案内溝を有しており、当該案内長孔又は案内溝に挿通した案内軸を介して変位可能に支持されている請求項１〜請求項３のうちいずれか一項に記載の弾球遊技機。
【請求項５】
前記干渉部材は、下流側通路のセーフ球案内面に臨む側面が球均し面とされ、当該球均し面と下流側通路のセーフ球案内面との間隔が下流側に向かうほど略セーフ球１個分の間隔となるまで次第に狭くなるように支持されている請求項１〜請求項４のうちいずれか一項に記載の弾球遊技機。
【発明の詳細な説明】
【０００１】
【発明の属する技術分野】
本発明は、遊技盤上の各入賞口に入賞したセーフ球を集合させるセーフ球集合樋を備えた弾球遊技機に関するものである。
【０００２】
【従来の技術】
従来、弾球遊技機の一種であるパチンコ遊技機では、遊技盤上に例えば始動入賞口、大入賞口などの各種入賞口が配設されており、当該入賞口に入ったセーフ球の１個ずつに対し各入賞口に各別に対応する個数の賞球が払い出されるようになっている。そして、前記各入賞口に入ったセーフ球は機裏側のセーフ球集合樋に一旦集合し、前記セーフ球集合樋の下流側に設けられた球均し部材により１列の整列状態とされてセーフ球検出装置に案内される。その後、前記セーフ球は前記セーフ球検出装置により１個ずつ検出処理されてセーフ球通路を通じて機外に排出される。
【０００３】
【発明が解決しようとする課題】
ところが、従来のパチンコ遊技機では、例えば、大当たり遊技状態時など大入賞口の開放に伴い一度に大量のセーフ球が発生すると、前記セーフ球集合樋にも大量のセーフ球が集合するようになっている。そのため、前記球均し部材の下面側にはセーフ球が重合状態（例えば、上下２段など）で滞留しやすくなり、このような場合には前記滞留したセーフ球により前記セーフ球集合樋の通路が塞がれ球詰まりを起こすという問題があった。
【０００４】
そこで、このような問題を解決するために、例えば、特開平７−３２３１３５号公報に記載された弾球遊技機では、セーフ球集合樋の下流側にある球均し突片の下面側が弾性部材で形成されている。そのため、前記球均し突片の下面側にセーフ球が重合状態で滞留した場合でも前記弾性部材の弾性変形により球噛み状態を回避するようになっている。
【０００５】
しかしながら、この構成は前記滞留セーフ球により前記球均し突片が受ける球圧を弾性部材の弾性変形に基づき分散させることで滞留したセーフ球を１列の整列状態に均すものであり、前記滞留したセーフ球に対し積極的に球崩しを行うというものではなかった。
【０００６】
この発明は、このような従来の技術に存在する問題点に着目してなされたものであり、その目的は、セーフ球集合樋の下流側で球詰まり状態を形成して滞留したセーフ球の球崩しを行いセーフ球集合樋における球詰まりを解消することができる弾球遊技機を提供することにある。
【０００７】
【課題を解決するための手段】
上記問題点を解決するために、本発明は、入賞口から入賞したセーフ球の案内通路が形成されたセーフ球集合樋を機裏側に備えた弾球遊技機において、前記案内通路における下流側通路の近傍に当該下流側通路に沿って案内されるセーフ球と一定条件下において干渉する干渉部材を変位可能に支持し、少なくとも当該干渉部材に対して前記下流側通路に滞留した滞留セーフ球が球詰まり状態を形成して押圧接触する条件下では、当該干渉部材の一部が前記案内通路における上流側通路上を通過するセーフ球と干渉する干渉位置に配置されるようにし、前記干渉部材の一部と干渉した干渉セーフ球からの受圧力を前記下流側通路内で球詰まり状態を形成している前記滞留セーフ球に対して伝播可能な構成としている。
【０００８】
また、前記干渉部材は、前記干渉位置において干渉セーフ球からの受圧力に基づき下流側通路方向へ変位するようになっている。
また、前記干渉部材は、前記干渉位置において上流側通路のセーフ球案内面と面一状態になる干渉面を有しており、当該干渉面上を転動して通過する前記干渉セーフ球の自重により押圧されることで下流側通路方向へ変位するようになっている。
【０００９】
また、前記干渉部材は、その変位方向を規定する案内長孔又は案内溝を有しており、当該案内長孔又は案内溝に挿通した案内軸を介して変位可能に支持されている。
【００１０】
また、前記干渉部材は、下流側通路のセーフ球案内面に臨む側面が球均し面とされ、当該球均し面と下流側通路のセーフ球案内面との間隔が下流側に向かうほど略セーフ球１個分の間隔となるまで次第に狭くなるように支持されている。
【００１１】
【発明の実施の形態】
以下、本発明を弾球遊技機の一種であるパチンコ遊技機（以下、「遊技機」という。）に具体化した一実施形態を図１〜図４に基づき説明する。なお、以下の説明において「上」「下」「左」「右」は、遊技機１０の機裏側から見た場合の「上」「下」「左」「右」を示すものとする。また、「前」「後」は、同じく機裏側から見た場合の手前側を「後」とし、その反対側を「前」とする。
【００１２】
図１には遊技機１０の機裏側が概略的に示されており、機体の外郭をなす外枠１１には各種の遊技用構成部材をセットする縦長方形の中枠１２が開閉及び着脱可能に組み付けられている。また、前記中枠１２の後面側には各種球通路及び処理部を備えた機構セット盤１３が着脱自在に装着されており、前記中枠１２及び機構セット盤１３には遊技盤１４が保持されている。そして、前記遊技盤１４には複数の入賞口１５〜２０（始動入賞口１５，大入賞口１６及び普通入賞口１７〜２０）が設けられている。また、前記遊技盤１４の後面側には前記各入賞口１５〜２０に入賞したセーフ球Ｓを下方に案内するための複数の球通路２１が形成された裏樋２２が装着されている。そして、前記遊技盤１４の下方には、前記中枠１２に対し前記機構セット盤１３及び補助盤２３が組付整合された際に形成されるセーフ球集合樋２４が配置されている。
【００１３】
次に、前記機構セット盤１３及び補助盤２３の構成について図２及び図３を用いて詳細に説明する。
図２に示すように、前記機構セット盤１３の前面側略中央には、前記セーフ球集合樋２４を構成する下流側通路としての第２セーフ球通路２５がその下流側に向かって斜状（図１において左下がり勾配）をなして延設されている。なお、前記第２セーフ球通路２５の前後幅はセーフ球Ｓの球径よりも大きく形成されており、前記第２セーフ球通路２５のセーフ球案内面２５ａ上をセーフ球Ｓが転動して通過できるようになっている。そして、前記第２セーフ球通路２５の上流側（機構セット盤１３の右側方側）には、球払出装置から払出された遊技球を上球皿（図示しない）に供給するための第１上球皿供給口２６が形成されている。さらに、前記第１上球皿供給口２６の右側方には、溢れ球となった遊技球を下球皿（図示しない）に通出するための溢れ球通路２７が前記機構セット盤１３の略中央下方側に向かって延設されている。なお、図２では前記溢れ球通路２７が覆蓋されている状態を示している。
【００１４】
また、前記第２セーフ球通路２５の下流側には、セーフ球Ｓの検出処理を行うためのセーフ球検出装置２８（図１に示す）を装着する装着部２９が形成されている。そして、前記装着部２９には、前記セーフ球検出装置２８により検出処理された後のセーフ球Ｓを排出するための第１セーフ球排出通路３０が形成されている。また、前記第２セーフ球通路２５の下流側上部には、後述する干渉部材としての球崩し部材４０を装着するための支軸３１と案内軸３２がその軸心にビス穴を備えた形態で前記機構セット盤１３の前面側に向かって突出形成されている。
【００１５】
一方、前記補助盤２３は図３に示すように組付整合時、前記中枠１２と機構セット盤１３の間に装着されるものであり、前記機構セット盤１３の下方側と略同一形状の平板から構成されている。そして、前記補助盤２３の後面側（機構セット盤１３の前面側と対向する面）の左側方上部には、前記セーフ球集合樋２４を構成する上流側通路としての第１セーフ球通路３３がその下流側に向かって斜状（図１において右下がり勾配）をなし、前記補助盤２３の中央に向かって延設されている。なお、前記第１セーフ球通路３３の前後幅はセーフ球Ｓの球径よりも大きく形成されており、前記第１セーフ球通路３３のセーフ球案内面３３ａ上をセーフ球Ｓが転動して通過できるようになっている。
【００１６】
そして、前記補助盤２３の略中央には、前記各入賞口１５〜２０に入賞しなかった遊技球（所謂、アウト球）が通出されるアウト口３４が形成されると共に、当該アウト口３４には前記アウト球を案内するアウト球排出通路３５が連設されている。また、前記アウト球排出通路３５には、当該通路３５を通過した前記アウト球を機外に排出するための機外排出通路３６が下方側に向かって連設されている。そして、前記機外排出通路３６には、前記セーフ球検出装置２８により検出処理された後のセーフ球Ｓを排出するための第２セーフ球排出通路３７が分岐形成されており、当該第２セーフ球排出通路３７は組付整合時に前記機構セット盤１３の第１セーフ球排出通路３０の下流側と連通されるようになっている。
【００１７】
また、前記機外排出通路３６の右側方には、下球皿に遊技球を供給するための下球皿供給口３８が形成されており、当該下球皿供給口３８は組付整合時に前記機構セット盤１３の溢れ球通路２７の下流側と連通されるようになっている。さらに、前記補助盤２３の右側方近傍には、遊技球を上球皿に供給するための第２上球皿供給口３９が形成されており、当該第２上球皿供給口３９は組付整合時に前記機構セット盤１３の第１上球皿供給口２６と連通されるようになっている。
【００１８】
従って、このように構成された前記機構セット盤１３と補助盤２３が前記中枠１２に対し組付整合されると、図１に示すように前記補助盤２３の第１セーフ球通路３３と機構セット盤１３の第２セーフ球通路２５により遊技機１０の左端から中央付近に亘って前記セーフ球集合樋２４が形成される。そして、前記セーフ球集合樋２４は、前記第１セーフ球通路３３と第２セーフ球通路２５が互いに相反する方向に斜状をなすように、かつ、上段側に前記第１セーフ球通路３３が下段側に第２セーフ球通路２５が段差状に配置された形態で構成される。なお、本実施形態では、前記第１セーフ球通路３３と第２セーフ球通路２５により前記セーフ球集合樋２４に形成された案内通路を構成している。
【００１９】
そして、前記セーフ球集合樋２４の上部は、前記裏樋２２に形成された各球通路２１の下流側と連通するようになっており、前記球通路２１を通過した全てのセーフ球Ｓは前記セーフ球集合樋２４に通出され集合するようになっている。また、前記セーフ球集合樋２４に集合したセーフ球Ｓは、前記第１セーフ球通路３３と第２セーフ球通路２５によりセーフ球集合樋２４の下流側（第２セーフ球通路２５の下流側）に案内されて前記セーフ球検出装置２８により検出処理が行われる。その後、検出処理された前記セーフ球Ｓは機構セット盤１３の第１セーフ球排出通路３０、前記補助盤２３の第２セーフ球排出通路３７及び機外排出通路３６を通過して遊技機１０の機外に排出される。
【００２０】
そして、本実施形態では、前記第２セーフ球通路２５の近傍（第２セーフ球通路２５の下流側であって、前記セーフ球検出装置２８におけるセーフ球Ｓの受入側と隣接した位置）に前記球崩し部材４０が装着されている。また、前記球崩し部材４０は、前記セーフ球集合樋２４に集合したセーフ球を１列に整列させる球均し機能と、前記球崩し部材４０の下方において重合状態（例えば、上下２段など）で滞留し球詰まり状態を形成するセーフ球Ｓ（滞留セーフ球ＳＴ）に対し外力を与えて球崩しを行う球崩し機能を兼用している。そして、前記球崩し部材４０は、前記第２セーフ球通路２５に沿って案内されるセーフ球Ｓと一定条件下（前記滞留セーフ球ＳＴが球崩し部材４０を押圧接触する条件下）において干渉するようになっている。なお、前記球詰まり状態とは、滞留セーフ球ＳＴにより第２セーフ球通路２５が塞がれ後続のセーフ球Ｓがセーフ球検出装置２８側（前記第２セーフ球通路２５の下流側）へ移動できない状態を言う。
【００２１】
次に、前記球崩し部材４０の構成を図１〜図３に基づき詳細に説明すると、前記球崩し部材４０は、硬質樹脂にて断面略直角三角形の四角錐で形成されている。そして、前記球崩し部材４０の基端側には前記機構セット盤１３の支軸３１が挿通される取着孔４１が形成されている。また、前記球崩し部材４０の略中央には前記機構セット盤１３の案内軸３２が挿通され、球崩し部材４０の変位方向を規定する案内長孔としての案内孔４２が形成されている。そして、前記球崩し部材４０は、図２に示すように、前記取着孔４１に前記支軸３１が、前記案内孔４２に前記案内軸３２が各々挿通された状態でビス４３により取着されると、前記支軸３１を中心として回転方向に変位可能な状態で前記機構セット盤１３に支持される。従って、前記機構セット盤１３に支持された状態の前記球崩し部材４０は、前記案内孔４２によって変位方向が規定されると共に、前記案内孔４２に挿通された前記案内軸３２の移動可能量（前記案内孔４２の長さに相当）だけ変位できるようになっている。
【００２２】
また、前記球崩し部材４０の斜面側、即ち、前記機構セット盤１３に取着される際に前記第２セーフ球通路２５のセーフ球案内面２５ａ側に臨む側面には、球均し面としての誘導面４４が円弧状に形成されている。そして、前記球崩し部材４０は、前記誘導面４４と前記セーフ球案内面２５ａとの間隔が前記第２セーフ球通路２５の下流側（セーフ球検出装置２８の受入側）に向かうほど略セーフ球１個分の間隔となるまで次第に狭くなるように前記機構セット盤１３に支持されている。従って、前記球崩し部材４０は、前記誘導面４４により前記セーフ球集合樋２４に集合したセーフ球Ｓのうち、第２セーフ球通路２５上を通過し前記セーフ球検出装置２８の受入側に向かって案内されるセーフ球Ｓを１列の整列状態とする球均しを行うようになっている。
【００２３】
また、前記球崩し部材４０の自由端側には、干渉面としての先端面４５が突出形成されている。そして、前記先端面４５は前記球崩し部材４０が前記機構セット盤１３で支持された状態（図１の状態）において、前記滞留セーフ球ＳＴが干渉（押圧接触）し当該押圧力により前記球崩し部材４０が図１において反時計回り方向に変位すると前記第１セーフ球通路３３側に突出するようになっている。また、この状態において前記先端面４５は、第１セーフ球通路３３のセーフ球案内面３３ａと略面一となる突出量で前記球崩し部材４０に対し突出形成されている。
【００２４】
次に、このように構成された前記遊技機１０において、セーフ球Ｓがセーフ球集合樋２４によりセーフ球検出装置２８側へ案内される態様を図４に基づき説明する。なお、図４には、前記セーフ球検出装置２８の周辺におけるセーフ球集合樋２４の一部を拡大図示している。
【００２５】
通常時、前記球崩し部材４０は、図４（ａ）に示すように、第２セーフ球通路２５上を通過するセーフ球Ｓが押圧接触しない位置に配置されている。そして、前記各入賞口１５〜２０に入賞したセーフ球Ｓは、前記裏樋２２の各球通路２１から前記セーフ球集合樋２４に通出される。このとき、前記始動入賞口１５及び普通入賞口１７，１８に入賞したセーフ球Ｓは前記第１セーフ球通路３３上に落下し、当該第１セーフ球通路３３に沿って前記第２セーフ球通路２５側に案内される。一方、前記大入賞口１６及び普通入賞口１９，２０に入賞したセーフ球Ｓは前記第２セーフ球通路２５に直接落下する。そして、前記セーフ球Ｓは、前記第２セーフ球通路２５に沿って当該第２セーフ球通路２５の下流側に配置されたセーフ球検出装置２８に案内される。なお、前記第２セーフ球通路２５上に複数のセーフ球Ｓが重合状態で存在する場合、前記セーフ球Ｓは球崩し部材４０の誘導面４４により均され１列に整列した状態で前記セーフ球検出装置２８の受入側に案内される。
【００２６】
そして、前記第２セーフ球通路２５上（球崩し部材４０の下方側）のセーフ球Ｓが前記誘導面４４により均されない場合、前記セーフ球Ｓは滞留セーフ球ＳＴとなって前記第２セーフ球通路２５の下流側で球詰まり状態を形成する（図４（ｂ））。このとき、前記球崩し部材４０は、前記誘導面４４に押圧接触した前記滞留セーフ球ＳＴからの押圧力により前記支軸３１を中心として反時計回り方向に変位する。そのため、前記球崩し部材４０は、前記先端面４５が前記第１セーフ球通路３３側に突出し、当該通路３３を通過するセーフ球Ｓと干渉可能な状態となる干渉位置に変位し配置される。なお、前記干渉位置に配置された前記球崩し部材４０の先端面４５は、前記第１セーフ球通路３３を通過するセーフ球Ｓの通過軌跡上であって、前記第１セーフ球通路３３の一部を構成している。
【００２７】
そして、前記第１セーフ球通路３３上を通過するセーフ球Ｓが前記干渉位置に配置された前記球崩し部材４０の先端面４５上を転動して通過すると、前記先端面４５は前記セーフ球Ｓ（干渉セーフ球ＳＫ）から受圧力が与えられる。そのため、先端面４５が前記干渉セーフ球ＳＫの自重により押圧されることで、前記球崩し部材４０は前記第２セーフ球通路２５方向（時計回り方向）へ変位する。その結果、前記球崩し部材４０の下方にある前記滞留セーフ球ＳＴには、前記干渉セーフ球ＳＫからの受圧力が伝播され、前記滞留セーフ球ＳＴの球崩しが行われる。そして、球崩しがされたセーフ球Ｓは前記第２セーフ球通路２５上を通過して前記球崩し部材４０の誘導面４４により１列の整列状態に均されると共に、セーフ球検出装置２８に案内されて検出処理が行われる。
【００２８】
従って、本実施形態によれば、以下に示す効果を得ることができる。
（１）  干渉位置に変位した前記球崩し部材４０は、干渉セーフ球ＳＫからの受圧力を受けて第２セーフ球通路２５方向へ変位し滞留セーフ球ＳＴに対して前記受圧力を伝播している。そのため、セーフ球集合樋２４の下流側（第２セーフ球通路２５上）に滞留した滞留セーフ球ＳＴに対し外力（受圧力）を与えて球崩しを行い球詰まりを解消することができる。
【００２９】
（２）  球崩し部材４０は、滞留セーフ球ＳＴが押圧接触した条件下において第１セーフ球通路３３を通過するセーフ球Ｓ（干渉セーフ球ＳＫ）からの受圧力を前記滞留セーフ球ＳＴに伝播している。そのため、球崩し部材４０の下方において滞留セーフ球ＳＴが完全な球噛み状態となる前に球崩しを行うことができる。従って、セーフ球集合樋２４における球詰まり状態を簡単に解消することができる。
【００３０】
（３）  干渉位置に変位した球崩し部材４０の先端面４５は、前記第１セーフ球通路３３の一部を構成するようになっている。そのため、前記第１セーフ球通路３３を通過するセーフ球Ｓが確実に前記先端面４５に干渉し受圧力を与えることができる。
【００３１】
（４）  前記球崩し部材４０は、第１セーフ球通路３３を通過する干渉セーフ球ＳＫの自重による押圧（受圧力）に基づき第２セーフ球通路２５方向へ変位するようになっている。そのため、干渉位置にある前記球崩し部材４０を前記第２セーフ球通路２５方向へ変位させるために特別な手段を用いることなく構成を簡素化することができる。また、セーフ球集合樋２４にセーフ球Ｓが通出される限り干渉位置にある前記球崩し部材４０を第２セーフ球通路２５方向へ変位させることができる。
【００３２】
（５）  前記球崩し部材４０は、球均し機能と球崩し機能を兼用している。そのため、各機能を達成するために別々の部材を用意する必要がなく、遊技機１０の製造コスト、製造工程を簡略化することができる。また、遊技機１０の限られたスペース内に前記両機能を備えた球崩し部材４０を配置することができ、セーフ球集合樋２４のスペースを縮小させることがなく、必要なスペースを従来と同様に確保することができる。
【００３３】
（６）  前記球崩し部材４０には、当該球崩し部材４０の変位方向を規定するための案内孔４２が形成されている。そのため、前記球崩し部材４０を確実に変位させることができる。また、前記案内軸３２を前記案内孔４２に挿通しているため球崩し部材４０の変位量を確実に規制することができる。さらに、案内軸３２と案内孔４２により変位方向を規定しているためその機構を簡素化することができる。
【００３４】
なお、本実施形態は以下のように変更しても良い。
・前記実施形態では、干渉位置に変位した球崩し部材４０の先端面４５が前記第１セーフ球通路３３のセーフ球案内面３３ａと略面一となるようになっているが、例えば、先端面４５が前記セーフ球案内面３３ａよりも僅かに突出し段差状に配置されるようにしても良い。なお、この場合における前記先端面４５の突出量は、前記第１セーフ球通路３３を通過するセーフ球Ｓが前記段差部分で滞留することなく乗り越えることができる程度である。このように構成すれば、第１セーフ球通路３３を通過するセーフ球Ｓが段差部分に干渉した時の衝撃力を滞留セーフ球ＳＴに伝播して球崩しを行うことができる。
【００３５】
・また、滞留セーフ球ＳＴの押圧接触により第１セーフ球通路３３側に変位した前記球崩し部材４０の先端面４５は、前記セーフ球案内面３３ａよりも下方に配置されていても良い。この場合は、前記第１セーフ球通路３３を通過するセーフ球Ｓが前記第２セーフ球通路２５側に落下する際に前記先端面４５に干渉することで前記先端面４５にセーフ球Ｓ（干渉セーフ球ＳＫ）から受圧力が与えられ、当該受圧力を滞留セーフ球ＳＴに対し伝播することができる。
【００３６】
・前記実施形態では、干渉位置に変位した球崩し部材４０の先端面４５が前記第１セーフ球通路３３の下流側先端に配置されるようになっているが、前記先端面４５に代えて前記第１セーフ球通路３３上に突出する突起状の干渉物を前記球崩し部材４０に設けても良い。そして、前記滞留セーフ球ＳＴから押圧力を受けた球崩し部材４０が変位すると前記干渉物が前記第１セーフ球通路３３上に突出し、前記干渉セーフ球ＳＫが干渉物に干渉したときの衝撃力を滞留セーフ球ＳＴに伝播する。
【００３７】
・前記実施形態の球崩し部材４０に代えて前記球崩し部材４０を弾性部材で構成し、前記滞留セーフ球ＳＴからの押圧力を受けて弾性変形により前記先端面４５を第１セーフ球通路３３側に突出させても良い。そして、前記先端面４５を通過する干渉セーフ球ＳＫの自重により前記球崩し部材４０を復元して前記滞留セーフ球ＳＴに受圧力を伝播する。このように構成すれば、支軸３１や取着孔４１などを省略することができ球崩し部材４０を簡素化することができる。
【００３８】
・前記実施形態の球崩し部材４０に代えて前記球崩し部材４０にバネなどの弾性部材を装着し、常時、干渉位置に配置されるようにしても良い。そして、前記先端面４５を通過する干渉セーフ球ＳＫの受圧力により常時第２セーフ球通路２５方向に前記球崩し部材４０を変位させる。このように構成すれば、前記第２セーフ球通路２５上でセーフ球Ｓが滞留し、前記球崩し部材４０を押圧接触する前に球崩しを行うことができる。従って、セーフ球集合樋２４における球詰まり状態を未然に回避することができる。
【００３９】
・前記実施形態では、セーフ球集合樋２４が第１セーフ球通路３３と第２セーフ球通路２５から構成されているが、例えば、１本の通路（案内通路）から構成されるセーフ球集合樋においても前記球崩し部材４０を適用することができる。この場合、前記セーフ球集合樋の下流側（下流側通路）に球崩し部材４０を変位可能に支持すると共に、滞留セーフ球ＳＴからの押圧力により上流側（上流側通路）に突出する干渉物を前記球崩し部材４０に形成すれば良い。このように構成すれば、上流側において前記干渉物に干渉した干渉セーフ球ＳＫからの衝撃力を滞留セーフ球ＳＴに伝播することができ、前記実施形態と同様に球崩しを行うことができる。
【００４０】
・前記実施形態では、セーフ球検出装置２８が装着された遊技機１０に球崩し部材４０を適用しているが、セーフ球検出装置２８が装着されていない遊技機１０にも本実施形態と同様に前記球崩し部材４０を適用することができる。
【００４１】
・前記実施形態では、前記球崩し部材４０の先端面４５が第１セーフ球通路３３の下流側先端に位置しているが、その位置を例えば大入賞口に入賞したセーフ球がセーフ球集合樋２４に落下する軌跡上に位置するようにしても良い。このように構成すれば、先端面４５上を通過する干渉セーフ球ＳＫの自重による押圧に加えてセーフ球Ｓの落下による受圧力を直接先端面４５に与えることができ、前記球崩し部材４０をより確実に第２セーフ球通路２５方向へ変位させることができる。
【００４２】
・前記実施形態では、前記球崩し部材４０に変位量を規制するための案内孔４２が形成されているが、当該案内孔４２に代えて案内溝であっても良い。
・前記実施形態では、前記球崩し部材４０が球均し機能と球崩し機能を兼用しているが、本実施形態の球崩し部材４０を球崩し機能だけできるように構成しても良い。この場合、例えば、球崩し部材４０の誘導面４４の形状を斜状（直線状）に変更したり、球崩し部材４０の形状を直方体に変更することが考えられる。
【００４３】
・前記実施形態では、球崩し部材４０をパチンコ遊技機１０に適用しているが、遊技媒体として遊技球を使用する弾球遊技機であれば前記実施形態と同様に前記球崩し部材４０を適用することができる。
【００４４】
次に、上記実施形態及び別例から把握できる技術的思想を追記する。
（イ）  前記案内通路における上流側通路と下流側通路は互いに相反する方向に斜状をなすように、かつ、段差状をなすように配置構成されている請求項１〜請求項５のうちいずれか一項に記載の弾球遊技機。
【００４５】
【発明の効果】
本発明によれば、セーフ球集合樋の下流側で球詰まり状態を形成して滞留したセーフ球の球崩しを行いセーフ球集合樋における球詰まりを解消することができる。
【図面の簡単な説明】
【図１】  パチンコ遊技機の機裏側を示す背面図。
【図２】  機構セット盤の前面下方側を示す斜視図。
【図３】  機構セット盤、保持盤及び中枠を示す分解斜視図。
【図４】  セーフ球集合樋においてセーフ球が案内される状態を示す模式図。
【符号の説明】
ＳＫ…干渉セーフ球、ＳＴ…滞留セーフ球、１０…パチンコ遊技機（弾球遊技機）、１５…始動入賞口、１６…大入賞口、１７〜２０…普通入賞口、２５…第２セーフ球通路（案内通路における下流側通路）、２５ａ…セーフ球案内面（下流側通路のセーフ球案内面）、３２…案内軸、３３…第１セーフ球通路（案内通路における上流側通路）、３３ａ…セーフ球案内面（上流側通路のセーフ球案内面）、４０…球崩し部材（干渉部材）、４２…案内孔（案内長孔）、４４…誘導面（球均し面）、４５…先端面。
【図１】
0004290867.tif 000002
【図２】
0004290867.tif 000003
【図３】
0004290867.tif 000004
【図４】
0004290867.tif 000005